(57)【要約】【課題】  狭い場所でも取り回しが簡単で、かつ軽量であり、３〜４種類のPE管の復元に対してアタッチメントを都度交換することが無く、人的力を必要とせず、簡単にPE管を復元できるスクイズオフ復元器を提供する。  【解決手段】  支持ピン１と、下方が開口された左アーム２と、下方が開口された右アーム３と、支持ピン１の近傍に配置され、シリンダ５の後端外周部とピストンロッド５ａ軸端にピン孔を有するシリンダ５と、左アーム２が前後２枚のアームの隙間にシリンダ５の後端外周部が挿入され、左アーム２とシリンダ５の後端外周部とを一体に連結するスライドピン６と、右アーム３が前後２枚のアームから構成され、右アーム３とピストンロッド５ａとを一体に固定する固定ピン７と、左復元板８ａと、右復元板８ｂと、前ガイド４ａと、後ガイド４ｂと、Ｕ字状の取手９とから構成するスクイズオフ復元器１０である。【選択図】          図１
2005069348.tif 000002
【特許請求の範囲】
【請求項１】
合成樹脂管のくびれを復元させるスクイズオフ復元器であって、
上部中央に配置された支持ピンと、
前記支持ピンより連結され、ハの字状に下方が開口された左アームと、
前記支持ピンより連結され、ハの字状に下方が開口された右アームと、
前記支持ピンの近傍に配置され、シリンダの後端外周部にピン孔を有し、ピストンロッドの軸端にもピン孔を有するシリンダと、
前記左アームが前後２枚のアームから構成され、それぞれ複数のピン孔が穿設されて前記アーム同士の隙間には前記シリンダの後端外周部が挿入され、前記左アームとシリンダの後端外周部とを一体に連結するスライドピンと、
前記右アームが前後２枚のアームから構成され、それぞれピン孔が穿設されて前記アーム同士の隙間には前記ピストンロッドの先端外周部が挿入され、前記右アームとピストンロッドとを一体に固定する固定ピンと、
前記左アームの先端部に回動自在に接続された左復元板と、
前記右アームの先端部に回動自在に接続された右復元板と、
前記支持ピンの前端部に接続され、前ガイドホルダに保持された前ガイドと、
前記支持ピンの後端部に接続され、後ガイドホルダに保持された後ガイドと、
前記前ガイドホルダに取手の一端が接続され、前記後ガイドホルダに前記取手の他端が接続されたＵ字状の取手と、
からなることを特徴とするスクイズオフ復元器。
【請求項２】
前記左アームには、前記シリンダの後端部の位置を変えるため、スライドピンに嵌合した複数のピン孔が形成されたことを特徴とする請求項１に記載のスクイズオフ復元器。
【請求項３】
前記前ガイドには、前記前ガイドホルダに接続されたツマミの引きにより、上下方向の位置を調整することができる複数のピン孔が形成され、
前記後ガイドにも、前記後ガイドホルダに接続されたツマミの引きにより、上下方向の位置を調整することができる複数のピン孔が形成されたことを特徴とする請求項１に記載のスクイズオフ復元器。
【発明の詳細な説明】
【技術分野】
【０００１】
本発明は、スクイズオフ工具によって潰された合成樹脂管を、元の円形の合成樹脂管に復元させるためのスクイズオフ復元器に関する。
【背景技術】
【０００２】
従来からガス管、水道管等の合成樹脂管には、スクイズオフ工法が使用されている。スクイズオフ工法は、配管内のガス等の気体、または水等の液体の流れを止めたいときに、スクイズオフ工具によって管を潰し、流れを止める工法である。そして、例えば、工事が終了した後、潰れた合成樹脂管（以下、ＰＥ管という）は、スクイズオフ工具から開放されると、楕円形に回復するが、元の円形には戻らない。そのため、元の円形のＰＥ管に復元させるためにスクイズオフ復元器が使用されている。
図４は、従来のスクイズオフ工法に使用されるスクイズオフ復元器である（例えば、特許文献１参照）。図４に示すように、ピン２１により逆Ｖ形に連結した一対の上リンク２２と、長い軸２３の中間部でＸ形に連結した一対の下リンク２４を菱形に連結し、ピン２１と軸２３を連結する油圧シリンダ２６の作動により、下リンク２４の下側部に回動可能に軸着した押え部２７を開閉させる。軸２３の両端には、図示しないブラケットと、ブラケットに昇降可能に支持され、ノブ３４により締付け固定される杆３２を上向きに突設すると共に、Ｖ溝を備えた当て具３３とより構成されるセンタリング治具２９が設けられる。
このスクイズオフ復元器２０は、油圧シリンダ２６が縦方向（又は横方向）に取付けられ、油圧を供給したとき油圧シリンダ２６のピストンロッドが押出される方向で使用されるため、偏平したＰＥ管２８ａを元の円形の形にＰＥ管２８を復元させることができる。
【特許文献１】特開平６−２８８４９７号公報（１〜２頁、図３）
【発明の開示】
【発明が解決しようとする課題】
【０００３】
しかしながら、従来のスクイズオフ復元器は、全体として形状が大きく、かつ重量も重いという問題があった。特に、このような復元器は、用途上深く掘られた狭い溝の中で使用されることが多かったので、軽量で小さく、取り回しのよい復元器の開発が要望されていた。このような要求に対応するため、コールドリング（図示せず）と呼ばれる手動の矯正器も使用されているが、サイズ毎に矯正機を交換する必要があり、手動によりＰＥ管を復元するため強烈な力を必要とし作業者の肉体的負担が大きいこと等により、サイズ別に矯正器を交換する必要がなく、かつ軽量でコンパクトな復元器の開発が要望されていた。
【０００４】
そこで、本発明は、このような問題点を解消するため創案されたものであり、狭い場所でも取り回しが簡単で軽量であり、数種類のＰＥ管の復元に対してアタッチメントを都度交換することが無く、人的な力を必要とせず、簡単にＰＥ管を復元できるスクイズオフ復元器を提供することを課題とする。
【課題を解決するための手段】
【０００５】
請求項１に記載された発明は、合成樹脂管のくびれを復元させるスクイズオフ復元器であって、上部中央に配置された支持ピンと、前記支持ピンより連結され、ハの字状に下方が開口された左アームと、前記支持ピンより連結され、ハの字状に下方が開口された右アームと、前記支持ピンの近傍に配置され、シリンダの後端外周部にピン孔を有し、ピストンロッドの軸端にもピン孔を有するシリンダと、前記左アームが前後２枚のアームから構成され、それぞれ複数のピン孔が穿設されて前記アーム同士の隙間には前記シリンダの後端外周部が挿入され、前記左アームとシリンダの後端外周部とを一体に連結するスライドピンと、前記右アームが前後２枚のアームから構成され、それぞれピン孔が穿設されて前記アーム同士の隙間には前記ピストンロッドの先端外周部が挿入され、前記右アームとピストンロッドとを一体に固定する固定ピンと、前記左アームの先端部に回動自在に接続された左復元板と、前記右アームの先端部に回動自在に接続された右復元板と、前記支持ピンの前端部に接続され、前ガイドホルダに保持された前ガイドと、前記支持ピンの後端部に接続され、後ガイドホルダに保持された後ガイドと、前記前ガイドホルダに取手の一端が接続され、前記後ガイドホルダに前記取手の他端が接続されたＵ字状の取手とからなることを特徴とする。
【０００６】
請求項１に記載された発明によれば、このような構成にしたことにより、コンパクトでかつ軽量であり、狭い場所でも取り回しが簡単である。また、数種類の合成樹脂管の復元に対してアタッチメントをその都度交換することが無く、肉体的な負担を必要とせず、簡単にＰＥ管を復元できるスクイズオフ復元器を提供することができる。
【０００７】
請求項２に記載された発明は、請求項１に記載のスクイズオフ復元器であって、前記左アームには、前記シリンダの後端部の位置を変えるため、スライドピンに嵌合した複数のピン孔が形成されたことを特徴とする。
【０００８】
請求項２に記載された発明によれば、左アームには、抜き差し可能なスライドピンに嵌合する複数のピン孔が形成されたことにより、前記シリンダの後端部の位置がスライドピンによって自在に変えることができるため、数種類の合成樹脂管の復元に対応することができる。また、スライドピンの抜き差しにより、アタッチメントをその都度交換することが不要にできる。
【０００９】
請求項３に記載された発明は、請求項１に記載のスクイズオフ復元器であって、前記前ガイドには、前記前ガイドホルダに接続されたツマミの引きにより、上下方向の位置を調整することができる複数のピン孔が形成され、前記後ガイドにも、前記後ガイドホルダに接続されたツマミの引きにより、上下方向の位置を調整することができる複数のピン孔が形成されたことを特徴とする。
【００１０】
請求項３に記載された発明によれば、左ガイドと右ガイドにガイドストッパ用の複数のピン孔が形成されたことにより、ワークサイズに合わせて上下方向の位置をワンタッチで調整することができるため、段取り換えが短縮できる。
【発明の効果】
【００１１】
請求項１に記載の発明によれば、このような構成にしたことにより、コンパクトでかつ軽量であり、狭い場所でも取り回しが簡単である。また、数種類の合成樹脂管の復元に対してアタッチメントをその都度交換することが無く、肉体的な負担を必要とせず、簡単にＰＥ管を復元できるスクイズオフ復元器を提供することができる。
【００１２】
請求項２に記載の発明によれば、左アームには、抜き差し可能なスライドピンに嵌合する複数のピン孔が形成されたことにより、前記シリンダの後端部の位置がスライドピンによって自在に変えることができるため、数種類の合成樹脂管の復元に対応することができる。また、スライドピンの抜き差しにより、アタッチメントをその都度交換することが不要にできる。
【００１３】
請求項３に記載の発明によれば、左ガイドと右ガイドにガイドストッパ用の複数のピン孔が形成されたことにより、ワークサイズに合わせて上下方向の位置をワンタッチで調整することができるため、段取り換えが短縮できる。
【発明を実施するための最良の形態】
【００１４】
以下、本発明の実施の形態を、図面を参照しながら説明する。スクイズオフ復元器は、スクイズオフ機（図示せず）によって一度潰された合成樹脂管（ＰＥ管）を円形に復元(矯正)するものである。図１は、本発明のスクイズオフ復元器が開口した状態を示す正面図である。図１に示すように、スクイズオフ復元器１０は、アームを支持する支持ピン１と、スクイズオフ復元器１０の本体であるハの字状を形成する左アーム２と右アーム３、さらに、これらのアームを開閉させるシリンダ５と、数種類の合成樹脂管の復元に対応できるようにシリンダ５の取付位置を変えるスライドピン６と、そのもう一端であるピストンロッド５ａの軸端を固定する固定ピン７と、合成樹脂管の復元に力を加える左復元板８ａ、右復元板８ｂと、スクイズオフ復元器１０の前後に配置された合成樹脂管（ワークともいう）をガイドする前ガイドホルダ４ａ、後ガイドホルダ４ｂおよび持ち運びを容易にするＵ字状の取手９（図２参照）によって構成されている。
【００１５】
支持ピン１は、上部の中央に位置しており、ハの字状に下方に開口して形成した左アーム２と右アーム３を１組にして連結している。左アーム２は正面視して、くの字状に屈曲しており、右アーム３も左右対象に、くの字状に屈曲している。
図２は、図１に示すスクイズオフ復元器１０の側面図である。図２に示すように、右アーム３は２枚のアーム３ａ、３ｂがプレート３ｃによって一体に形成されており、同様に左アーム２も、２枚のアーム２ａ、２ｂがプレート２ｃ（図３参照）によって一体に形成されている。
シリンダ５は油圧シリンダであり、ピストンロッド５ａをシリンダ５内に引込むとき、ＰＥ管を復元するようシリンダ５の構造を変えている（図３参照）。油圧ホース５ｃはカプラ継手５ｂによって、ワンタッチ接続されている。シリンダ５の後端外周部は２面削ぎ面５ｄ、５ｄ（図２参照）に加工され、その面に貫通したピン孔が形成されている。また、図１に示すように、シリンダ５のピストンロッド５ａの軸端にもピン孔が形成され、固定ピン７によって固定されている。図２に示すように、シリンダ５のカプラ継手５ｂにポンプからの油圧ホース５ｃをカプラ接続し、シリンダ５に油圧を供給すると、このピストンロッドは全長が短縮する方向に作動して左アーム２と右アーム３を閉鎖し、シリンダ５の油圧をドレンすると、シリンダ５に内蔵された角バネ５ｅに付勢力によってピストンロッドは全長が伸張する方向に作動して左アーム２と右アーム３を開口する。
【００１６】
図１に示すように、左アーム２には支持ピン１の近傍に、ピン孔ｅ１、ｆ１、ｇ１が穿設され、これらの左アーム２を構成するアーム２ａとアーム２ｂとの間には、この隙間に合わせて加工されたシリンダ５の後端外周部が２面削ぎされて挿入され、左アーム２と、シリンダ５とがスライドピン６によって一体に連結されている。
一方、前右アーム３を構成するアーム３ａとアーム３ｂとの間には、支持ピン１の近傍に、ピン孔が穿設されている。これらの右アーム３を構成するアーム３ａとアーム３ｂとの間には、スペーサ（図示せず）を挟み、ピストンロッド５ａの軸端が挿入されてピン孔が形成された面が配置され、右アーム３とピストンロッド５ａとが固定ピン７によって一体に固定されている。
【００１７】
左復元板８ａは、板状で中央が凹状に形成されており、裏面に突設した凸部にピン孔が設けられ、左アーム２の先端部に設けられたピン８ｐが挿通されて回動自在に接続されている。また、同様に、右復元板８ｂは、板状で中央が凹状に形成されており、裏面に突設した凸部にピン孔が設けられ、右アーム３の先端部に設けられたピン８ｐが挿通されて回動自在に接続されている。
さらに、前ガイド４ａ、後ガイド４ｂは、ＰＥ管の外周に載置して当接させ、左復元板８ａと右復元板８ｂの介添えを行うガイドである。また、支持ピン１の前端部、後端部に接続され、前ガイドホルダ４ｃ、後ガイドホルダ４ｄに保持されて、ツマミ４ｅを板厚分引き抜くだけで前ガイド４ａおよび後ガイド４ｂの位置を変えることができるようになっている。
図１に示すように、例えば、前ガイド４ａに形成された３個のピン孔は、ＰＥ管の外径に合わせた寸法でピン孔の配置が決められるが、ツマミ４ｅを取り外すことなく、前ガイド４ａの上下位置の変更がワンタッチでできるように、３個のピン孔はピン孔の径の約１／２の溝幅で連結されている。
取手９は、図２に示すように、丸棒がＵ字状に形成されている。その先端部にはネジが形成されており、前ガイドホルダ４ｃと、後ガイドホルダ４ｄに接続されている。取手９はハンドルともいう。前ガイド４ａ、後ガイド４ｂは、前ガイドホルダ４ｃと、後ガイドホルダ４ｄを中心に自由に揺動できるためフレキシブルにＰＥ管の外周をガイドにすることができる。
【００１８】
このスクイズオフ復元器１０は、例えば、呼び５０（外径１５３ｍｍ）、呼び７５（外径１８０ｍｍ）、呼び１００（外径２００ｍｍ）の３種類のＰＥ管の復元に対応することができる。図１に示すように、例えば、ピン孔ｅ１、ｆ１、ｇ１とピン孔ｅ３、ｆ３、ｇ３が配置されており、ワークサイズに合わせて各種機器のセット位置が選択できるようになっている。ピン孔ｅ１、ｆ１、ｇ１は、シリンダ５の先端位置を変えることにより、開口位置ｅ２、ｆ２、ｇ２に示すように３種類のＰＥ管に対応することができる。スライドピン６のストッパ６ｂは、図２に示すように、スライドピン６の端部の窪みにコイルバネが格納されており、ストッパ６ｂを指で把持し、９０°の方向を変えると、コイルバネ６ｃの付勢力によって、その位置が保持されるようになっている。
また、ピン孔ｅ３、ｆ３、ｇ３は、ツマミ４ｅを指で把持し、手前に引っ張りながら、前ガイド４ａの押え位置を上下方向にガイド位置ｅ４、ｆ４、ｇ４を変えることにより、3種類のＰＥ管に対応することができる。なお、後ガイド４ｂも同様である。ツマミ４ｅは、図２の右側の断面図に示すように、支持ピン１の右端面に螺着されたボルト４ｋに後ガイド４ｂとともに挿通され、ツマミ４ｅに内蔵されたコイルバネ４ｈの付勢力によって挟持されている。つまり、コイルバネ４ｈによりツマミ４ｅは前ガイド４ａ、後ガイド４ｂの高さ位置をセットすることができるようになっている。
【００１９】
図３は、図１に示すスクイズオフ復元器が閉口した状態を示す断面図である。
ここで、図面を参照してスクイズオフ復元器１０による操作方法を説明する。
１）図１に示すように、各種のサイズの中の呼び５０に対応させるため、左アーム２に配置したスライドピン６のストッパ６ｂを、指で軸方向に位置を変え、一旦スライドピン６を引き抜き、シリンダ５の貫通孔の位置を該当するワークサイズ用のピン孔ｅ１にセットする。
２）図２に示すように、両側に配置されたツマミ４ｅを引き、前ガイド４ａと後ガイド４ｂを所定のサイズ用位置に上下方向に移動させて手を放し、固定する。
３）図３に示すように、シリンダ５のカプラ継手５ｂに油圧ポンプ（手動式、電動式、充電式等）からの油圧ホース５ｃのカプラ継手５ｂを接続する。
４）図３に示すように、スクイズオフされたＰＥ管の上にセットし、左復元板８ａ、右復元板８ｂの開口部に、潰れたＰＥ管のくびれ部分が配置されたことを確認し、油圧シリンダ５を駆動させ、ピストンロッド５ａは引き込まれ、左アーム２と、右アーム３は内側に向かって矢印方法へ移動してＰＥ管を引き込み方向に作動し始め、左復元板８ａ、右復元板８ｂによりＰＥ管のくびれ部分を元の円形に復元（矯正）する。
５）この状態で１０分間保持した後、ポンプ側の圧力を解放し、シリンダ５は内部に内蔵された角バネ５ｅの付勢力により元の位置に戻り、左アーム２と右アーム３が開口する。
【００２０】
なお、このように構成されたスクイズオフ復元器１０は、以下のような作用効果を奏する。例えば、ピストンロッド５ａを引込むときにＰＥ管を復元するようシリンダ５の構造を変えたことにより、多くのリンクを利用することが無いため部品点数が少なく、コンパクトで工具重量の軽減を図ることはできる。また、ＰＥ管サイズに合わせて、シリンダの取付位置を変更できるようにしたためピストンストロークを最小にでき、重量の軽減を図ることができる。
なお、本発明はその技術思想の範囲内で種々の改造、変更が可能である。例えば、油圧シリンダは、空圧シリンダであってもよいし、その他のシリンダであっても構わない。
【図面の簡単な説明】
【００２１】
【図１】本発明のスクイズオフ復元器が開口した状態を示す正面図である。
【図２】図１に示すスクイズオフ復元器の側面図である。
【図３】図１に示すスクイズオフ復元器が閉口した状態を示す断面図である。
【図４】従来のスクイズオフ工法に使用されるスクイズオフ復元器である。
【符号の説明】
【００２２】
１      支持ピン
１ａ    前端部
１ｂ    後端部
２、２ａ、２ｂ  左アーム
２ｃ、３ｃ  プレート
３、３ａ、３ｂ  右アーム
４ａ    前ガイド
４ｂ    後ガイド
４ｃ    前ガイドホルダ
４ｄ    後ガイドホルダ
４ｅ    ツマミ
５      シリンダ
５ａ    ピストンロッド
５ｂ    カプラ継手
５ｃ    油圧ホース
６      スライドピン
７      固定ピン
８ａ    左復元板
８ｂ    右復元板
８ｐ    ピン
９      取手
１０    スクイズオフ復元器
ｅ１、ｆ１、ｇ１  ピン孔
ｅ２、ｆ２、ｇ２  開口位置
ｅ３、ｆ３、ｇ３  ピン孔
ｅ４、ｆ４、ｇ４  ガイド位
【図１】
2005069348.tif 000003
【図２】
2005069348.tif 000004
【図３】
2005069348.tif 000005
【図４】
2005069348.tif 000006